(57)【要約】【課題】光ファイバケーブル分岐構造体において、ケーブル分岐作業をより容易にすることである。【解決手段】光ファイバケーブルのシースを除去し、スロット溝内から取り出した光ファイバ集合心線に含まれる複数の第１光ファイバ心線と、一端にコネクタを設けた複数の第２光ファイバ心線と、を融着して形成される融着部を保持して分岐した光ファイバケーブル分岐構造体は、ケーブルコアに取り付けられる分岐具本体３２と、保護蓋３４とを備え、分岐具本体は、ケーブルコアを係合して取り付けるケーブルコア係合部と、複数の第１光ファイバ心線を背面側から表面側へ誘導する誘導スリット３８と、融着部を保持する融着部保持部を有し、複数の融着された第１光ファイバ心線と第２光ファイバ心線の余長を収納する余長収容室４４と、第２光ファイバ心線のコネクタが一方に接続される複数のアダプタ４６と、を有する分岐具３０を備える。【選択図】図１３
2010243835.tif 000002
【特許請求の範囲】
【請求項１】
光ファイバケーブルのシースを所定範囲にわたって除去し、前記シースを除去した部分のケーブルコアにケーブル方向に形成されたスロット溝の溝内から取り出した光ファイバ集合心線に含まれる複数の第１光ファイバ心線と、一端にコネクタを設けた複数の第２光ファイバ心線と、を融着して形成される融着部を保持して分岐した光ファイバケーブル分岐構造体であって、
前記シースを除去した部分のケーブルコアに取り付けられ、表面側を凹状に形成した分岐具本体と、前記分岐具本体の表面側を覆う保護蓋と、を備え、前記分岐具本体は、背面側に設けられ、前記シースを除去した部分のケーブルコアを係合して前記分岐具本体を取り付けるケーブルコア係合部と、前記表面側の一端に設けられ、前記光ファイバ集合心線に含まれる複数の第１光ファイバ心線を前記分岐具本体の背面側から表面側へ誘導する誘導スリットと、前記表面側に設けられ、前記融着部を保持する融着部保持部を有し、複数の融着された第１光ファイバ心線と第２光ファイバ心線の余長を略円形状に束ねて収納する余長収容室と、前記表面側に設けられ、前記複数の第２光ファイバ心線のコネクタが一方に接続される複数のアダプタと、を有する光ファイバケーブル用分岐具を備えることを特徴とする光ファイバケーブル分岐構造体。
【請求項２】
請求項１に記載の光ファイバケーブル分岐構造体であって、
前記スロット溝の溝内から取り出した光ファイバ集合心線に含まれ、前記ケーブルコア係合部から表面側へ前記誘導スリットで誘導された複数の第１光ファイバ心線と、前記アダプタの一方に一端に設けたコネクタが接続され、他端が前記複数の第１光ファイバ心線と融着された複数の第２光ファイバ心線と、前記融着部保持部で保持された前記融着部と、を含む複数の分岐光ファイバ線を備えることを特徴とする光ファイバケーブル分岐構造体。
【請求項３】
光ファイバケーブルのシースを剥がした後、剥がしたシースの所定範囲を除去し、前記シースを剥がした部分のケーブルコアにケーブル方向に形成されたスロット溝の溝内から取り出した光ファイバ集合心線に含まれる複数の第１光ファイバ心線と、一端にコネクタを設けた複数の第２光ファイバ心線と、を融着して形成される融着部を保持して光ファイバケーブル用分岐具で分岐する光ファイバケーブル分岐方法であって、
前記シースを剥がした部分のケーブルコアにケーブル方向に形成されたスロット溝の溝内から前記光ファイバ集合心線を取り出し、前記剥がしたシースの所定範囲を除去した残部を前記シースを剥がした部分のケーブルコアに被せる工程と、
前記光ファイバケーブル用分岐具は、表面側を凹状に形成した分岐具本体と、前記分岐具本体の表面側を覆う保護蓋と、を備え、前記分岐具本体は、背面側に設けられ、前記シースを剥がした部分のケーブルコアを係合して前記分岐具本体を取り付けるケーブルコア係合部と、前記表面側の一端に設けられ、前記光ファイバ集合心線に含まれる複数の第１光ファイバ心線を前記分岐具本体の背面側から表面側へ誘導する誘導スリットと、前記表面側に設けられ、前記融着部を保持する融着部保持部を有し、複数の融着された第１光ファイバ心線と第２光ファイバ心線の余長を略円形状に束ねて収納する余長収容室と、前記表面側に設けられ、前記複数の第２光ファイバ心線のコネクタが一方に接続される複数のアダプタと、を有し、
前記シースを除去した部分のケーブルコアをケーブルコア係合部に係合して前記分岐具本体を取り付け、前記光ファイバ集合心線に含まれる複数の第１光ファイバ心線を前記分岐具本体の背面側から表面側へ前記誘導スリットで誘導し、前記アダプタの一方にコネクタで接続された前記複数の第２光ファイバ心線と融着する工程と、
前記融着部を前記融着部保持部で保持し、複数の融着された第１光ファイバ心線と第２光ファイバ心線の余長を前記余長収容室へ収容する工程と、
前記分岐具本体の表面側に、前記保護蓋を取り付ける工程と、
を備えることを特徴とする光ファイバケーブル分岐方法。
【請求項４】
光ファイバケーブルのシースを所定範囲にわたって除去し、前記シースを除去した部分のケーブルコアにケーブル方向に形成されたスロット溝の溝内から取り出した光ファイバ集合心線に含まれる複数の第１光ファイバ心線と、一端にコネクタを設けた複数の第２光ファイバ心線と、を融着接続して形成される融着部を保持して分岐する光ファイバケーブル用分岐具であって、
表面側を凹状に形成した分岐具本体と、
前記分岐具本体の表面側を覆う保護蓋と、
を備え、
前記分岐具本体は、
背面側に設けられ、前記シースを除去した部分のケーブルコアを係合して前記分岐具本体を取り付けるケーブルコア係合部と、
前記表面側の一端に設けられ、前記光ファイバ集合心線に含まれる複数の第１光ファイバ心線を背面側から表面側へ誘導する誘導スリットと、
前記表面側に設けられ、前記融着部を保持する融着部保持部を有し、複数の融着された第１光ファイバ心線と第２光ファイバ心線の余長を略円形状に束ねて収納する余長収容室と、
前記表面側に設けられ、前記複数の第２光ファイバ心線のコネクタが一方に接続される複数のアダプタと、
を有することを特徴とする光ファイバケーブル用分岐具。
【請求項５】
請求項４に記載の光ファイバケーブル用分岐具であって、
前記分岐具本体は、前記背面側に凸状に形成され、前記スロット溝に挿入されて前記分岐具本体を位置決めする位置決め凸部を有することを特徴とする光ファイバケーブル用分岐具。
【請求項６】
請求項４または５に記載の光ファイバケーブル用分岐具であって、
前記分岐具本体は、前記シースを除去した部分のケーブルコアに前記分岐具本体を固定する締結具を取り付ける締結具取り付け部を有することを特徴とする光ファイバケーブル用分岐具。
【発明の詳細な説明】
【技術分野】
【０００１】
本発明は、光ファイバケーブルの中間後分岐に用いられる光ファイバケーブル分岐構造体、光ファイバケーブル分岐方法及び光ファイバケーブル用分岐具に関し、特に、屋内に敷設される光ファイバケーブルの分岐に用いられる光ファイバケーブル分岐構造体、光ファイバケーブル分岐方法及び光ファイバケーブル用分岐具に関する。
【背景技術】
【０００２】
光ファイバを用いた光伝送線路において、例えば、光ファイバネットワークの構築には、光ファイバケーブルを敷設した後、この光ファイバケーブルを途中から分岐させる中間後分岐の技術が用いられている（例えば、特許文献１から５参照）。
【先行技術文献】
【特許文献】
【０００３】
【特許文献１】特開平８−２２０３９０号公報
【特許文献２】特表２００８−５０１１５１号公報
【特許文献３】特表２００８−５０１１５２号公報
【特許文献４】特表２００８−５０１１５３号公報
【特許文献５】特表２００８−５０１１５４号公報
【発明の概要】
【発明が解決しようとする課題】
【０００４】
ところで、上述したような光ファイバケーブルの分岐方法では、光ファイバケーブル用分岐具のサイズが大きいことなどから、特に、多種多様な多数の光ファイバケーブルが密集して配設されている場合において光ファイバケーブルの分岐作業が容易ではなかった。
【０００５】
そこで本発明の目的は、光ファイバケーブルの分岐作業をより容易にして、中間分岐配線時の作業性を向上させる光ファイバケーブル分岐構造体、光ファイバケーブル分岐方法及び光ファイバケーブル用分岐具を提供することである。
【課題を解決するための手段】
【０００６】
本発明に係る光ファイバケーブル分岐構造体は、光ファイバケーブルのシースを所定範囲にわたって除去し、前記シースを除去した部分のケーブルコアにケーブル方向に形成されたスロット溝の溝内から取り出した光ファイバ集合心線に含まれる複数の第１光ファイバ心線と、一端にコネクタを設けた複数の第２光ファイバ心線と、を融着して形成される融着部を保持して分岐した光ファイバケーブル分岐構造体であって、前記シースを除去した部分のケーブルコアに取り付けられ、表面側を凹状に形成した分岐具本体と、前記分岐具本体の表面側を覆う保護蓋と、を備え、前記分岐具本体は、背面側に設けられ、前記シースを除去した部分のケーブルコアを係合して前記分岐具本体を取り付けるケーブルコア係合部と、前記表面側の一端に設けられ、前記光ファイバ集合心線に含まれる複数の第１光ファイバ心線を前記分岐具本体の背面側から表面側へ誘導する誘導スリットと、前記表面側に設けられ、前記融着部を保持する融着部保持部を有し、複数の融着された第１光ファイバ心線と第２光ファイバ心線の余長を略円形状に束ねて収納する余長収容室と、前記表面側に設けられ、前記複数の第２光ファイバ心線のコネクタが一方に接続される複数のアダプタと、を有する光ファイバケーブル用分岐具を備えることを特徴とする。
【０００７】
本発明に係る光ファイバケーブル分岐構造体は、前記スロット溝の溝内から取り出した光ファイバ集合心線に含まれ、前記ケーブルコア係合部から表面側へ前記誘導スリットで誘導された複数の第１光ファイバ心線と、前記アダプタの一方に一端に設けたコネクタが接続され、他端が前記複数の第１光ファイバ心線と融着された複数の第２光ファイバ心線と、前記融着部保持部で保持された前記融着部と、を含む複数の分岐光ファイバ線を備えることが好ましい。
【０００８】
本発明に係る光ファイバケーブル分岐方法は、光ファイバケーブルのシースを剥がした後、剥がしたシースの所定範囲を除去し、前記シースを剥がした部分のケーブルコアにケーブル方向に形成されたスロット溝の溝内から取り出した光ファイバ集合心線に含まれる複数の第１光ファイバ心線と、一端にコネクタを設けた複数の第２光ファイバ心線と、を融着して形成される融着部を保持して光ファイバケーブル用分岐具で分岐する光ファイバケーブル分岐方法であって、前記シースを剥がした部分のケーブルコアにケーブル方向に形成されたスロット溝の溝内から前記光ファイバ集合心線を取り出し、前記剥がしたシースの所定範囲を除去した残部を前記シースを剥がした部分のケーブルコアに被せる工程と、前記光ファイバケーブル用分岐具は、表面側を凹状に形成した分岐具本体と、前記分岐具本体の表面側を覆う保護蓋と、を備え、前記分岐具本体は、背面側に設けられ、前記シースを除去した部分のケーブルコアを係合して前記分岐具本体を取り付けるケーブルコア係合部と、前記表面側の一端に設けられ、前記光ファイバ集合心線に含まれる複数の第１光ファイバ心線を前記分岐具本体の背面側から表面側へ誘導する誘導スリットと、前記表面側に設けられ、前記融着部を保持する融着部保持部を有し、複数の融着された第１光ファイバ心線と第２光ファイバ心線の余長を略円形状に束ねて収納する余長収容室と、前記表面側に設けられ、前記複数の第２光ファイバ心線のコネクタが一方に接続される複数のアダプタと、を有し、前記シースを剥がした部分のケーブルコアをケーブルコア係合部に係合して前記分岐具本体を取り付け、前記光ファイバ集合心線に含まれる複数の第１光ファイバ心線を前記分岐具本体の背面側から表面側へ前記誘導スリットで誘導し、前記アダプタの一方にコネクタで接続された前記複数の第２光ファイバ心線と融着する工程と、前記融着部を前記融着部保持部で保持し、複数の融着された第１光ファイバ心線と第２光ファイバ心線の余長を前記余長収容室へ収容する工程と、前記分岐具本体の表面側に、前記保護蓋を取り付ける工程と、を備えることを特徴とする。
【０００９】
本発明に係る光ファイバケーブル用分岐具は、光ファイバケーブルのシースを所定範囲にわたって除去し、前記シースを除去した部分のケーブルコアにケーブル方向に形成されたスロット溝の溝内から取り出した光ファイバ集合心線に含まれる複数の第１光ファイバ心線と、一端にコネクタを設けた複数の第２光ファイバ心線と、を融着接続して形成される融着部を保持して分岐する光ファイバケーブル用分岐具であって、表面側を凹状に形成した分岐具本体と、前記分岐具本体の表面側を覆う保護蓋と、を備え、前記分岐具本体は、背面側に設けられ、前記シースを除去した部分のケーブルコアを係合して前記分岐具本体を取り付けるケーブルコア係合部と、前記表面側の一端に設けられ、前記光ファイバ集合心線に含まれる複数の第１光ファイバ心線を背面側から表面側へ誘導する誘導スリットと、前記表面側に設けられ、前記融着部を保持する融着部保持部を有し、複数の融着された第１光ファイバ心線と第２光ファイバ心線の余長を略円形状に束ねて収納する余長収容室と、前記表面側に設けられ、前記複数の第２光ファイバ心線のコネクタが一方に接続される複数のアダプタと、を有することを特徴とする。
【００１０】
本発明に係る光ファイバケーブル用分岐具において、前記分岐具本体は、前記背面側に凸状に形成され、前記スロット溝に挿入されて前記分岐具本体を位置決めする位置決め凸部を有することが好ましい。
【００１１】
本発明に係る光ファイバケーブル用分岐具において、前記分岐具本体は、前記シースを除去した部分のケーブルコアに前記分岐具本体を固定する締結具を取り付ける締結具取り付け部を有することが好ましい。
【発明の効果】
【００１２】
上記構成における光ファイバケーブル分岐構造体、光ファイバケーブル分岐方法及び光ファイバケーブル用分岐具によれば、光ファイバケーブル用分岐具の構造がより簡略であるので、例えば、多種多様な多数の光ファイバケーブルが密集して配設されて空きスペースが小さくなっている場合でも中間後分岐作業がより容易になり作業性が向上する。
【図面の簡単な説明】
【００１３】
【図１】本発明の実施の形態において、光ファイバケーブルの概略構成を示す断面図である。
【図２】本発明の実施の形態において、光ファイバケーブルから光ファイバ集合心線を取り出す手順を示す図である。
【図３】本発明の実施の形態において、光ファイバケーブル用分岐具の構成を示す斜視図である。
【図４】本発明の実施の形態において、光ファイバケーブル用分岐具の構成を示す平面図である。
【図５】本発明の実施の形態において、光ファイバケーブル用分岐具の構成を示す底面図である。
【図６】本発明の実施の形態において、光ファイバケーブル用分岐具の構成を示す側面図である。
【図７】本発明の実施の形態において、光ファイバケーブルのシースを切断した状態を示す図である。
【図８】本発明の実施の形態において、ケーブルコアを露出させた状態を示す図である。
【図９】本発明の実施の形態において、１つの光ファイバ集合心線を取り出した状態を示す図である。
【図１０】本発明の実施の形態において、剥がしたシースを、露出部分のケーブルコアに被せた状態を示す図である。
【図１１】本発明の実施の形態において、ケーブルコアに分岐具本体を取り付けた状態を示す図である。
【図１２】本発明の実施の形態において、光ファイバ集合心線に含まれる第１光ファイバ心線と、第２光ファイバ心線とを融着した状態を示す図である。
【図１３】本発明の実施の形態において、複数の融着された第１光ファイバ心線と第２光ファイバ心線とを余長収容室へ収容した状態を示す図である。
【図１４】本発明の実施の形態において、一端にコネクタを設けた光ファイバ側光ファイバ心線をアダプタの他方に接続した状態を示す図である。
【図１５】本発明の実施の形態において、分岐具本体に保護蓋を被せた状態を示す図である。
【発明を実施するための形態】
【００１４】
以下に図面を用いて本発明の実施の形態について説明する。まず、光ファイバケーブル１０の構成について説明する。図１は、光ファイバケーブル１０の概略構成を示す断面図である。光ファイバケーブル１０は、ケーブルコア１２の外周にシース１４が形成された構成を有している。ケーブルコア１２は、スロット溝１６が形成されたスロット部材１８と、スロット溝１６に収容された複数の光ファイバ集合心線２０と、を備えている。スロット溝１６は、ケーブル長さ方向に沿って形成されている。光ファイバ集合心線２０には、複数の単心線である第１光ファイバ心線２０ａを集合させた光ファイバテープ心線や多心の光ファイバ心線等が用いられる。また、ケーブルコア１２には、抗張力体２２が設けられている。
【００１５】
シース１４の外面には、ケーブル長さ方向に沿って一対の溝状のノッチ１４ｃ（弱化部分）または薄肉部が、周方向に互いに離間して形成され、これらノッチ１４ｃによって、シース１４は周方向に第１部分１４ａと第２部分１４ｂとの２つの部分に区分されている。第１部分１４ａは、ノッチ１４ｃ間の距離が比較的小さい部分であり、第２部分１４ｂは、それ以外の部分であり、断面略Ｃ形になっている。
【００１６】
図２は、光ファイバケーブル１０から光ファイバ集合心線２０を取り出す手順を示す図である。図２（ａ）、図２（ｂ）に示すように、シース１４をカッタ２６で周方向に切断した後、この切断部からノッチ１４ｃでシース１４を引裂くようにして第１部分１４ａを第２部分１４ｂから分離することによって、ケーブルコア１２を露出させる。
【００１７】
次いで、図２（ｃ）、図２（ｄ）に示すように、ケーブルコア１２のスロット溝１６の溝内に収容された複数の光ファイバ集合心線２０のうち一部を切断し、スロット溝１６から取り出すことができる。他の光ファイバ集合心線２０は、スロット溝１６内に残す。そして、剥がした部分の第２部分１４ｂを、再びケーブルコア１２に被せてスロット溝１６を覆うことによって、スロット溝１６内の光ファイバ集合心線２０が外に出るのを防ぐことができる。
【００１８】
なお、後述するように、スロット溝１６の溝内から取り出した光ファイバ集合心線２０に含まれる複数の第１光ファイバ心線２０ａは、光モジュール側における一端にコネクタを設けた複数の第２光ファイバ心線と融着接続される。
【００１９】
次に、光ファイバケーブル用分岐具について説明する。
【００２０】
図３は、光ファイバケーブル用分岐具３０の構成を示す斜視図であり、図４は、光ファイバケーブル用分岐具３０の構成を示す平面図であり、図５は、光ファイバケーブル用分岐具３０の構成を示す底面図であり、図６は、光ファイバケーブル用分岐具３０の構成を示す側面図である。
【００２１】
光ファイバケーブル用分岐具３０は、表面側を凹状に形成した分岐具本体３２と、分岐具本体３２の表面側を覆う保護蓋３４と、を備えている。
【００２２】
図５に示すように、分岐具本体３２は、背面側に設けられ、シース１４を除去した部分のケーブルコア１２を係合して分岐具本体３２を取り付けるケーブルコア係合部３６と、表面側の一端に設けられ、光ファイバ集合心線２０に含まれる複数の第１光ファイバ心線２０ａを背面側から表面側へ誘導する誘導スリット３８と、表面側に設けられ、複数の第１光ファイバ心線２０ａと、一端にコネクタを設けた複数の第２光ファイバ心線との融着部を保持する融着部保持部４２を有し、複数の融着された第１光ファイバ心線２０ａと第２光ファイバ心線の余長を略円形状に束ねて収納する余長収容室４４と、表面側に設けられ、複数の第２光ファイバ心線のコネクタが一方に接続される複数のアダプタ４６と、を有している。
【００２３】
ケーブルコア係合部３６は、分岐具本体３２の背面側に設けられ、シース１４を除去した部分のケーブルコア１２を係合して分岐具本体３２を光ファイバケーブル１０に取り付ける機能を有している。ケーブルコア係合部３６は、ケーブルコア１２の一部を挿入して係合するため凹状に形成される。
【００２４】
位置決め凸部４８は、分岐具本体３２の背面側に凸状に形成され、スロット溝１６に挿入されて分岐具本体３２を位置決めする機能を有している。位置決め凸部４８は、スロット溝１６の溝内に挿入可能な幅で凸状に形成される。
【００２５】
誘導スリット３８は、分岐具本体３２の表面側の一端に設けられ、光ファイバ集合心線２０に含まれる複数の第１光ファイバ心線２０ａを分岐具本体３２の背面側から表面側へ誘導する機能を有している。誘導スリット３８は、光ファイバ集合心線２０を分岐具本体３２内へ誘導する誘導口５０と連通して形成される。誘導口５０は、例えば、位置決め凸部４８に形成される。誘導スリット３８は、長手方向に沿って所定長さと所定の傾斜でスロープ状に形成される。誘導スリット３８は、光ファイバ集合心線２０を挿入可能なスリット幅で形成される。なお、誘導スリット３８の近傍には、誘導された光ファイバ集合心線２０を保持する光ファイバ集合心線保持体５２が設けられる。
【００２６】
余長収容室４４は、分岐具本体３２の表面側に設けられ、光ファイバ集合心線２０に含まれる複数の第１光ファイバ心線２０ａと、一端にコネクタを設けた複数の第２光ファイバ心線とを融着して形成された融着部を保持する融着部保持部４２を有し、複数の融着された第１光ファイバ心線２０ａと第２光ファイバ心線の余長を略円形状に束ねて収納する機能を有している。
【００２７】
融着部保持部４２は、例えば、誘導スリット３８と交差する方向（例えば、略直交方向）に設けられる。融着部保持部４２は、突出した一対の保持体を有している。一対の保持体は、融着部を着脱可能に挿入保持できる間隔で形成される。
【００２８】
余長保持体５４は、余長収容室４４に設けられ、略円形状に束ねて収納された複数の融着された第１光ファイバ心線２０ａと第２光ファイバ心線の余長を保持する機能を有している。余長保持体５４は、例えば、分岐具本体３２の側壁や融着部保持部４２から突出させて設けられ、余長を上から押えることにより保持する。余長保持体５４は、余長収容室４４に複数設けられることが好ましい。
【００２９】
アダプタ４６は、分岐具本体３２の表面側に設けられ、一方に複数の第２光ファイバ心線のコネクタが接続される。アダプタ４６は、例えば、分岐具本体３２の略中央に設けられ、分岐具本体３２の長手方向に対して略直交方向に並列して複数設けられる。アダプタ４６は、分岐具本体３２の底面から突出して設けられるアダプタガイド５６でガイドされ、アダプタ保持体５８で挟持されて保持される。アダプタ４６の他方には、例えば、光モジュールに接続され、一端にコネクタを設けた他の光モジュール側光ファイバ心線がコネクタ接続される。アダプタ４６には、一般的な光ファイバ接続に用いられるアダプタ４６を使用できる。
【００３０】
分岐具本体３２には、一端にコネクタを設けた光モジュール側光ファイバ心線が分岐具本体３２内へ個別に誘導される複数の誘導溝５９を設けることが好ましい。誘導溝５９は、分岐具本体３２の表面側の他端に設けられ、一端にコネクタを設けた複数の光モジュール側光ファイバ心線を個別に分岐具本体３２内に誘導する機能を有している。誘導溝５９は、アダプタ４６と同じ数だけ並列してスリット状に設けられる。
【００３１】
締結具取り付け部６０は、分岐具本体３２の一端と他端とに突出して設けられ、分岐具本体３２をケーブルコア１２に固定する締結具を取り付ける機能を有している。締結具取り付け部６０は、例えば、裏面側が略円弧状に形成される。締結具取り付け部６０には、締結具が、例えばスライドして外れないように凸状の締結具外れ止め６２が設けられている。
【００３２】
円筒突起６４は、分岐具本体３２の表面側に設けられ、後述する保護蓋３４に設けられる円柱突起６６を嵌め込んで保護蓋３４を固定する機能を有している。円筒突起６４は、例えば、分岐具本体３２における表面側の長手方向に複数箇所設けられる。
【００３３】
保護蓋３４は、分岐具本体３２の表面側を覆い、光ファイバ心線を保護する機能を有している。保護蓋３４は、分岐具本体３２に開閉可能または着脱可能に設けられる。保護蓋３４には、分岐具本体３２の表面側に設けられる円筒突起６４に嵌め込まれる円柱突起６６を有している。円柱突起６６は、例えば、保護蓋３４における長手方向に複数箇所設けられる。保護蓋３４には、保護蓋３４を分岐具本体３２に被せたときに光モジュール側光ファイバ心線を通すスリット６８が設けられる。
【００３４】
分岐具本体３２と保護蓋３４とは、例えば、合成樹脂を用いて金型成形される。合成樹脂には、例えば、ポリカーボネート（ＰＣ）樹脂、アクリロニトリルーブタジエンースチレン（ＡＢＳ）共重合樹脂、ＰＣ樹脂とＡＢＳ樹脂とをブレンドした合成樹脂等が用いられる。
【００３５】
次に、光ファイバケーブル１０の分岐方法について説明する。光ファイバケーブル１０の分岐方法は、例えば、屋内に敷設された光ファイバケーブルの分岐作業に用いられる。
【００３６】
まず、光ファイバケーブル１０におけるシース１４の所定部分が切断される。図７は、光ファイバケーブル１０のシース１４を切断した状態を示す図である。光ファイバケーブル１０のシース１４は、カッタ２６等で切断される。シース１４切断後の光ファイバケーブル１０には、切断部１４ｄが形成される。
【００３７】
次に、所定部位のシース１４を剥離して剥がし、剥がしたシース１４の所定範囲をカットして除去し、ケーブルコア１２を露出させる。図８は、ケーブルコア１２を露出させた状態を示す図である。シース１４の切断部１４ｄから所定長さの部分のシース１４にケーブル長さ方向の切れ目を入れ、この部分のシース１４を剥がしてケーブルコア１２を露出させる。例えば、図１及び図２に示すように、第１部分１４ａをノッチ１４ｃに沿って第２部分１４ｂから分離することによって、シース１４をケーブルコア１２から剥離させ、ケーブルコア１２を露出させることができる。剥がした部分のシース１４は、作業の邪魔にならないように、作業に関与しない部分のシース１４などに仮止めしておくことが好ましい。
【００３８】
次に、ケーブルコア１２から１つの光ファイバ集合心線２０を取り出す。図９は、１つの光ファイバ集合心線２０を取り出した状態を示す図である。図９に示すように、ケーブルコア１２のスロット溝１６の溝内に収容された複数の光ファイバ集合心線２０のうち一部を切断し、スロット溝１６から１本の光ファイバ集合心線２０を取り出す。
【００３９】
次に、上述の剥がしたシース１４の所定範囲を除去した残部を露出部分のケーブルコア１２に被せる。図１０は、剥がしたシース１４を、露出部分のケーブルコア１２に被せた状態を示す図である。この際、シース１４の先端から所定長さの部分である所定範囲を切除することによって、シース１４が光ファイバケーブル用分岐具３０に接触しないようにすることができる。ケーブルコア１２に被せたシース１４は、テープ状固定具などによりケーブルコア１２に固定することができる。後述するように、光ファイバケーブル用分岐具３０は、シース１４の一部削除により露出された部分のケーブルコア１２に取り付けられる。
【００４０】
次に、シース１４を除去したケーブルコア１２に分岐具本体３２を取り付ける。図１１は、ケーブルコア１２に分岐具本体３２を取り付けた状態を示す図である。分岐具本体３２は、その背面側をケーブルコア１２に向けて取り付けられる。位置決め凸部４８をスロット溝１６に挿入し、ケーブルコア係合部３６にケーブルコア１２を係合する。それにより、分岐具本体３２は、ケーブルコア１２の軸方向と略一致するように位置決めされて光ファイバケーブル１０に配置される。また、位置決め凸部４８をスロット溝１６に挿入することにより、分岐具本体３２の姿勢を安定させることができる。
【００４１】
分岐具本体３２は、締結具７０でケーブルコア１２に締結されて固定される。締結具７０には、例えば、係止穴を有する係止部がバンドの一端に設けられ、バンドを係止穴に通して任意の位置で係止可能な構造（例えば、いわゆるインシュロックタイ）などの結束具が採用できる。バンドが、分岐部本体の締結具取り付け部６０と、ケーブルコア１２と、に一括して巻き付けられ、分岐具本体３２がケーブルコア１２に締め付け固定された状態でバンドが係止部により係止されている。この際、バンドを、締結具取り付け部６０に設けられた締結具外れ止め６２の内側に巻き付けることにより、バンドの鉛直方向における上下方向の移動を規制し、分岐具本体３２の脱落をより確実に防止できる。
【００４２】
なお、締結具７０としては、分岐具本体３２をケーブルコア１２に締結することができるものであれば特に限定されることはなく、分岐具本体３２に、ケーブルコア１２を保持する機能を与えることもできる。例えば、保持片、係止爪、クリップ部などによりケーブルコア１２に係止可能とすることができる。
【００４３】
光ファイバ集合心線２０に含まれる複数の第１光ファイバ心線２０ａは、分岐具本体３２の誘導口５０から分岐具本体３２内に誘導され、分岐具本体３２の表面側へ誘導スリット３８で誘導される。そして、一端にコネクタ７２を設けた第２光ファイバ心線７４は、アダプタ４６の一方にコネクタ７２を差し込んで接続される。
【００４４】
次に、光ファイバ集合心線２０に含まれる第１光ファイバ心線２０ａと、第２光ファイバ心線７４と、を融着する。図１２は、光ファイバ集合心線２０に含まれる第１光ファイバ心線２０ａと、第２光ファイバ心線７４とを融着した状態を示す図である。光ファイバ集合心線２０に含まれる第１光ファイバ心線２０ａと、第２光ファイバ心線７４とは、融着機で融着されて接続される。例えば、図１２に示すように、第２光ファイバ心線７４の融着側の所定範囲をテープ化させることにより、第２光ファイバ心線７４のテープ化された部位と、光ファイバ集合心線２０とをテープ状の状態のままテープ融着する。図１２では、光ファイバ集合心線２０と、第２光ファイバ心線７４のテープ化された部位とが４心テープ融着されている。そして、光ファイバ集合心線２０に含まれる第１光ファイバ心線２０ａと、第２光ファイバ心線７４とが融着接続されて融着部７６が形成される。融着部７６は、補強スリーブ等で補強されることが好ましい。光ファイバ集合心線２０に含まれる第１光ファイバ心線２０ａと、第２光ファイバ心線７４との融着には、一般的に光ファイバの融着で用いられる融着機を使用することができる。
【００４５】
次に、複数の融着された第１光ファイバ心線２０ａと第２光ファイバ心線７４とを余長収容室４４へ収容する。図１３は、複数の融着された第１光ファイバ心線２０ａと第２光ファイバ心線７４とを余長収容室４４へ収容した状態を示す図である。複数の融着された第１光ファイバ心線２０ａと第２光ファイバ心線７４とは、略円形状に巻回され余長保持体５４で保持される。また、融着された第１光ファイバ心線２０ａと第２光ファイバ心線７４との融着部７６は、融着部保持部４２で保持される。
【００４６】
次に、分岐具本体３２に保護蓋３４を被せる。分岐具本体３２に設けられた円筒突起６４と、保護蓋３４に設けられた円柱突起６６と、を嵌め合せることにより、保護蓋３４が分岐具本体３２に取り付けられて固定される。これにより分岐具本体３２の内側に位置している光ファイバが保護される。以上により、複数の分岐光ファイバ線７８が設けられて分岐構造体８０が形成され、光ファイバケーブル１０の分岐作業が完了する。
【００４７】
ここで、別な複数の一端にコネクタ８２を設けた光ファイバ側光ファイバ心線８４が誘導溝５９で分岐具本体３２内へ誘導されてアダプタ４６に接続される。図１４は、一端にコネクタ８２を設けた光ファイバ側光ファイバ心線８４をアダプタ４６の他方に接続した状態を示す図である。図１５は、分岐具本体３２に保護蓋３４を被せた状態を示す図である。光ファイバ側光ファイバ心線８４の一端に設けられたコネクタ８２は、アダプタ４６の他方に接続される。
【００４８】
なお、光ファイバケーブル用分岐具３０の増設により分岐数を増やすこともできる。ケーブルの長さ方向に複数の上記構成における分岐具を設けることにより同様の手順で光ファイバを分岐することができる。このように、ケーブルコア１２に、長さ方向に位置を違えて複数の光ファイバケーブル用分岐具３０を取り付けることにより、利用者数に応じた分岐数の増加に対してもより容易に対応することができる。
【００４９】
上記構成によれば、光ファイバケーブル用分岐具の構造が簡略であり、分岐具のサイズをより小さくできるので省スペース化が可能である。そのため、多種多様な多数の光ファイバケーブルが密集して配設されて空きスペースが小さくなっている場合でも中間後分岐作業の作業性が向上する。また、分岐作業後の状態がコンパクトであり、他のケーブルの後増設にも支障が無い。また、分岐具内に融着した光ファイバ心線の余長を収納し、コネクタ接続点を収納可能とすることにより、ケーブルシャフト以外に成端箱、配線ルートを設ける必要がない。
【００５０】
上記構成によれば、中間後分岐作業のために剥いだシースの大部分を再利用しているので、中間後分岐作業の作業コストを抑えることができる。
【符号の説明】
【００５１】
１０  光ファイバケーブル
１２  ケーブルコア
１４  シース
１６  スロット溝
１８  スロット部材
２０  光ファイバ集合心線
２０ａ  第１光ファイバ心線
２２  抗張力体
２６  カッタ
３０  光ファイバケーブル用分岐具
３２  分岐具本体
３４  保護蓋
３６  ケーブルコア係合部
３８  誘導スリット
４２  融着部保持部
４４  余長収容室
４６  アダプタ
４８  位置決め凸部
５０  誘導口
５２  第１光ファイバ心線保持体
５４  余長保持体
５６  アダプタガイド
５８  アダプタ保持体
５９  誘導溝
６０  締結具取り付け部
６２  締結具外れ止め
６４  円筒突起
６６  円柱突起
６８  スリット
７０  締結具
７２、８２  コネクタ
７４  第２光ファイバ心線
７６  融着部
７８  分岐光ファイバ線
８０  分岐構造体
８４  光モジュール側光ファイバ心線
【図１】
2010243835.tif 000003
【図２】
2010243835.tif 000004
【図３】
2010243835.tif 000005
【図４】
2010243835.tif 000006
【図５】
2010243835.tif 000007
【図６】
2010243835.tif 000008
【図７】
2010243835.tif 000009
【図８】
2010243835.tif 000010
【図９】
2010243835.tif 000011
【図１０】
2010243835.tif 000012
【図１１】
2010243835.tif 000013
【図１２】
2010243835.tif 000014
【図１３】
2010243835.tif 000015
【図１４】
2010243835.tif 000016
【図１５】
2010243835.tif 000017